(57)【要約】      （修正有）【課題】構造が簡単で部品点数が少なく安価であり、ふろしきからエプロンへの移行が容易で嵩張らないエプロン機能付きふろしきを提供する。【解決手段】エプロン機能付きふろしき１は、平面視矩形状ないし正方形状のふろしき本体３と、前記ふろしき本体３の一つのコーナ部寄りの位置に設けられ、エプロンとして使用する場合に切り離して使用者Ｕの頭を潜らせる窓部７を開口させるミシン目と、を備えることによって構成した。【選択図】図５
0003173047.tif 000002
【実用新案登録請求の範囲】
【請求項１】
平面視矩形状ないし正方形状のふろしき本体と、
前記ふろしき本体の一つのコーナ部寄りの位置に設けられ、エプロンとして使用する場合に切り離して使用者の頭を潜らせる窓部を開口させるミシン目と、を備えていることを特徴とするエプロン機能付きふろしき。
【請求項２】
前記ミシン目の平面形状は半円周形状であることを特徴とする請求項１記載のエプロン機能付きふろしき。
【請求項３】
前記ミシン目は、前記ふろしき本体をエプロンとして使用する場合に前面側にくる前掛け部と、後面側にくる首掛け部とを連接する連接部と、隣接する連接部間に形成されるスリット部と、を交互に配設することによって構成されており、
前記連接部の形成ピッチは、１５ｍｍ〜２５ｍｍの範囲内に設定されていることを特徴とする請求項１または２記載のエプロン機能付きふろしき。
【請求項４】
前記ミシン目の全長は、３５０ｍｍ〜４５０ｍｍの範囲内に設定されていることを特徴とする請求項１〜３のいずれかに記載のエプロン機能付きふろしき。
【請求項５】
前記ミシン目の両端部と、該両端部に近い前記ふろしき本体の端辺部との間の接続部の長さは、３０ｍｍ〜７０ｍｍの範囲内に設定されていることを特徴とする請求項１〜４のいずれかに記載のエプロン機能付きふろしき。
【請求項６】
前記ミシン目が形成されているコーナ部を挟んだ左右のコーナ部寄りの位置には、エプロンとして使用する場合に、前記左右のコーナ部を使用者の後面側に回して係止する係止構造が設けられていることを特徴とする請求項１〜５のいずれかに記載のエプロン機能付きふろしき。
【考案の詳細な説明】
【技術分野】
【０００１】
本考案は、弁当等を包む包装シートとしての機能と、飲食事等に前掛けとして使用するエプロンとしての機能を兼ね備えたエプロン機能付きふろしきに関する。
【背景技術】
【０００２】
ふろしきは被包装物の形状や大きさに拘らず、種々の被包装物を包装することができ、未使用時にはコンパクトに折り畳んで携帯することができる重宝さが受けて古くから使用されている。
また、近年、上記ふろしきの有する包装シートとしての機能に加えて、飲食事に前掛けとして使用するエプロンとしての機能を兼ね備えたふろしきも下記の特許文献１、２に示すように登場してきている。
【０００３】
このうち、特許文献１では、ファスナー、アイレットリング、ポケット及び長・短３本の紐を備えたふろしきが開示されている。
一方、特許文献２では、シート状部材の角部にリング状のゴム紐を取り付けたふろしきが開示されている。
【先行技術文献】
【特許文献】
【０００４】
【特許文献１】実開平１−８３０１２号公報
【特許文献２】実開平３−１２９２６４号公報
【考案の概要】
【考案が解決しようとする課題】
【０００５】
しかしながら、特許文献１に開示されているふろしきは、エプロンとしての機能が充実しており、繰り返し使用を前提にした本格的なエプロン兼用ふろしきであるため、構造が複雑で部品点数が多く、製品コストが高くなる点で難がある。
また、エプロンとして使用する場合には、ファスナーを開く、紐を取り付ける、紐を首に掛ける、紐を背中で結ぶ等の数段階の手順が必要であるため、小さな子供には不向きであり、大人でも上記装着の手間から使用が敬遠されるおそれがある。
【０００６】
この点、特許文献２に開示されているふろしきは、シート状部材とリング状のゴム紐との二部材のみによって構成されており、構造が簡単で部品点数が少なく、製品コストが安く上がる点で優れている。
しかし、より一層の製品コストの削減を図るためには、更なる構造の簡素化や部品点数の削減が必要である。また、特許文献２に開示されているふろしきを多数枚積層すると、上記ゴム紐の厚さ分、当該ゴム紐が設けられている角部の厚さが厚くなってしまうため、積層できるふろしきの枚数にも限りが生じる。
【０００７】
本考案は、このような点に基づいてなされたものでその目的とするところは、構造が簡単で部品点数が少なく安価であり、ふろしきからエプロンへの移行が容易で嵩張らないエプロン機能付きふろしきを提供することにある。
【課題を解決するための手段】
【０００８】
上記目的を達成するべく本考案の請求項１によるエプロン機能付きふろしきは、平面視矩形状ないし正方形状のふろしき本体と、前記ふろしき本体の一つのコーナ部寄りの位置に設けられ、エプロンとして使用する場合に切り離して使用者の頭を潜らせる窓部を開口させるミシン目と、を備えていることを特徴とするものである。
【０００９】
また、請求項２によるエプロン機能付きふろしきは、請求項１記載のエプロン機能付きふろしきにおいて、前記ミシン目の平面形状は半円周形状であることを特徴とするものである。
【００１０】
また、請求項３によるエプロン機能付きふろしきは、請求項１または２記載のエプロン機能付きふろしきにおいて、前記ミシン目は、前記ふろしき本体をエプロンとして使用する場合に前面側にくる前掛け部と、後面側にくる首掛け部とを連接する連接部と、隣接する連接部間に形成されるスリット部と、を交互に配設することによって構成されており、
前記連接部の形成ピッチは、１５ｍｍ〜２５ｍｍの範囲内に設定されていることを特徴とするものである。
【００１１】
また、請求項４によるエプロン機能付きふろしきは、請求項１〜３のいずれかに記載のエプロン機能付きふろしきにおいて、前記ミシン目の全長は、３５０ｍｍ〜４５０ｍｍの範囲内に設定されていることを特徴とするものである。
【００１２】
また、請求項５によるエプロン機能付きふろしきは、請求項１〜４のいずれかに記載のエプロン機能付きふろしきにおいて、前記ミシン目の両端部と、該両端部に近い前記ふろしき本体の端辺部との間の接続部の長さは、３０ｍｍ〜７０ｍｍの範囲内に設定されていることを特徴とするものである。
【００１３】
また、請求項６によるエプロン機能付きふろしきは、請求項１〜５のいずれかに記載のエプロン機能付きふろしきにおいて、前記ミシン目が形成されているコーナ部を挟んだ左右のコーナ部寄りの位置には、エプロンとして使用する場合に、前記左右のコーナ部を使用者の後面側に回して係止する係止構造が設けられていることを特徴とするものである。
【００１４】
そして、上記手段によって以下のような作用が得られる。まず、ふろしき本体にミシン目を形成することによって構成されているから、構造が極めて簡単で、部品点数が１点だけであるから安価で嵩張らないエプロン機能付きふろしきが提供できるようになる。
また、ミシン目の平面形状を半円周形状にした場合には、該ミシン目を切り離して形成された窓部に使用者の頭を潜らせる際に該窓部への形状が使用者の頭の形状に馴染むため、装着が容易になってふろしきからエプロンへの移行が円滑になる。
【００１５】
また、前掛け部と首掛け部と連接する前記ミシン目の連接部の形成ピッチを１５ｍｍ〜２５ｍｍの範囲内に設定した場合には、ミシン目の切り離しに要する力が最適になり、ふろしきとして使用する場合の不用意なミシン目の切断が防止され、ふろしきからエプロンへの移行時のミシン目の切り離しが負担なく実行できるようになる。
【００１６】
また、ミシン目の全長を３５０ｍｍ〜４５０ｍｍの範囲内に設定した場合には、大人から子供までの使用者が頭を潜らせることができる大きさの窓部が形成でき、ふろしきとして使用する場合の必要な強度が確保されるようになる。
また、ミシン目の両端部と、該両端部に近いふろしき本体の端辺部との間の接続部の長さを３０ｍｍ〜７０ｍｍの範囲内に設定した場合には、エプロンとして使用する場合の必要な強度が確保され、使用中の不用意な接続部の切断による前掛け部と首掛け部の部分的ないし完全な切り離しが防止される。
【００１７】
また、ミシン目が形成されているコーナ部を挟んだ左右のコーナ部寄りの位置に、該左右のコーナ部を使用者の後面側に回して係止する係止構造を設けた場合には、エプロンとして使用している場合の前掛け部の不用意な捲れや位置ずれが防止されて使用者の体に、より密着した装着状態が得られるようになる。
【考案の効果】
【００１８】
本考案のエプロン機能付きふろしきによると、構造が簡単で部品点数が少なく安価なエプロン機能付きふろしきが提供できるようになる。
また、ふろしきからエプロンへの移行が容易で手間が掛からず、単一部品のため嵩張らず収納、保管の容易なエプロン機能付きふろしきが提供できるようになる。
【図面の簡単な説明】
【００１９】
【図１】本考案の実施の形態を示す図で、ミシン目を切り離す前のエプロン機能付きふろしきを示す斜視図である。
【図２】本考案の実施の形態を示す図で、ミシン目を切り離す前のエプロン機能付きふろしきを示す平面図である。
【図３】本考案の実施の形態を示す図で、ミシン目を切り離した状態のエプロン機能付きふろしきを示す斜視図である。
【図４】本考案の実施の形態を示す図で、エプロン機能付きふろしきをふろしきとして使用している場合の使用状態を示す斜視図である。
【図５】本考案の実施の形態を示す図で、エプロン機能付きふろしきをエプロンとして使用している場合の使用状態を示す斜視図である。
【図６】本考案の他の実施の形態を示す図で、ミシン目を切り離す前のエプロン機能付きふろしきを示す平面図である。
【図７】本考案の更に他の実施の形態を示す図で、係止構造の二種の態様（ａ）（ｂ）を示す平面図である。
【考案を実施するための形態】
【００２０】
以下、図１〜図５に示す実施の形態を例にとって本考案を実施するための形態を説明する。
本考案によるエプロン機能付きふろしき１は、行楽や焼肉レストラン等の外食産業あるいは介護や保育の現場、学校、病院等で利用でき、弁当等の被包装物Ａをくるんで持ち運ぶための包装シートないし運搬具としての機能と、飲食時や図画工作等において首に掛けて前掛けとして使用するエプロンとしての機能と、を兼ね備えた使い捨てタイプの簡易な構造のふろしきになっている。
【００２１】
そして、本考案によるエプロン機能付きふろしき１は、平面視矩形状ないし正方形状のふろしき本体３と、該ふろしき本体３の一つのコーナ部５Ａ寄りの位置に設けられ、エプロンとして使用する場合に切り離して使用者Ｕの頭を潜らせる窓部７を開口させるミシン目９と、を備えることによって基本的に構成されている。
また、本実施の形態では、一辺の長さが約５４０ｍｍの平面視正方形状のふろしき本体３が使用されており、該ふろしき本体３の材質は、一例としてレーヨン製で、その裏面３３には撥水コートの一例であるポリエチレンコートが施されている。
また、上記ふろしき本体３の表面３１には、適宜、図柄等の装飾が施されている。
【００２２】
また、本実施の形態では、上記ミシン目９の平面形状が上記ふろしき本体３の中心側に脹らんだ半円周形状に形成されており、該ミシン目９によって上記ふろしき本体３をエプロンとして使用する場合に前面側にくる前掛け部１１と、後面側にくる首掛け部１３と、に二分されている。
また、上記ミシン目９は、上記前掛け部１１と首掛け部１３とを連接する連接部１５と、隣接する連接部１５、１５間に形成されるスリット部１７と、を交互に配設することによって構成されており、該連接部１５の形成ピッチＰは一例として１５ｍｍ〜２５ｍｍの範囲内、好ましくは２０ｍｍ程度の間隔に設定されている。
【００２３】
また、上記ミシン目９の全長Ｌは、一例として３５０ｍｍ〜４５０ｍｍの範囲内、好ましくは４００ｍｍ程度の長さに設定されており、上記ミシン目９の両端部１９Ａ、１９Ｂと、該両端部１９Ａ、１９Ｂに近いふろしき本体３の端辺部２１Ａ、２１Ｂとの間の接続部２３Ａ、２３Ｂの長さＳは、一例として３０ｍｍ〜７０ｍｍの範囲内、好ましくは５０ｍｍ程度の長さに設定されている。
尚、上記接続部２３Ａ、２３Ｂの長さＳは、ふろしき本体３の厚さや材質、目の方向等によって異なるふろしき本体３の強度によって調整でき、強度の高いふろしき本体３の場合には短めに、強度の低いふろしき本体３の場合には長めに設定することが可能である。
【００２４】
次に、このようにして構成されるエプロン機能付きふろしき１を（１）ふろしきとして使用する場合と、（２）エプロンとして使用する場合に分けて、その使用手順を説明する。
（１）ふろしきとして使用する場合（図１、２及び図４参照）
上記エプロン機能付きふろしき１をふろしきとして使用する場合には、図１、２に示すようにミシン目９を切り離さないで連接されている状態で使用する。
そして、一般のふろしきと同様に、エプロン機能付きふろしき１の裏面３３を上にして、その上に被包装物Ａを置き、四方のコーナ部５Ａ、５Ｂ、５Ｃ、５Ｄを順番に上方に折り畳んで被包装物Ａをくるみ、対向する一対のコーナ部、例えば５Ｃ、５Ｄを結ぶことによって図４に示すような包装形態にして使用する。
【００２５】
（２）エプロンとして使用する場合（図１〜３及び図５参照）
一方、上記エプロン機能付きふろしき１をエプロンとして使用する場合には、当初図１、２に示すように連接されている状態のミシン目９の連接部１５を切り離し、図３に示すように切り離されたミシン目９の内方部位２５を上方に捲って窓部７を表出させる。
次に、上記窓部７を使用者Ｕの頭に被せ、潜らせることによって、図５に示すように使用者Ｕの前面側に前掛け部１１を位置させ、使用者Ｕの後面側に首掛け部１３を位置させた装着姿勢にして使用する。
【００２６】
そして、このようにして構成される本実施の形態によるエプロン機能付きふろしき１によれば、構造が極めて簡単で、単一部品によって構成される安価な使い捨てタイプのエプロン機能付きふろしきが提供できるようになる。
また、ふろしきとして使用する場合の形態からエプロンとして使用する場合の形態への移行が極めて円滑に実行できるから手間が掛からず、単一部品のため嵩張らないで収納、保管が容易な使い勝手と収納性を兼ね備えたエプロン機能付きふろしきが提供できるようになる。
【００２７】
尚、本考案のエプロン機能付きふろしき１は、前記の実施の形態のものに限定されず、その考案の要旨内での設計変更が可能である。例えば、ふろしき本体３の大きさは、前記実施に形態の説明の中で述べた大きさに限らず、種々の大きさのふろしき本体３が採用可能である。また、ふろしき本体３の材質は、レーヨンに限らず、ポリエステル、ポリプロピレン、ポリエチレン等の合成樹脂繊維や不織布、紙等、種々の材料が適用可能である。
また、ミシン目９の平面形状は、前記実施の形態のような半円周形状に限らず、該半円周形状以外の円弧形状や楕円弧形状等の曲線形状、あるいは図６に示すように屈曲点２７で屈曲した二本の直線部３７Ａ、３７Ｂによって形成される直線形状のミシン目９等、種々の平面形状のミシン目９が採用可能である。
【００２８】
また、ミシン目９が形成されているコーナ部５Ａを挟んだ左右のコーナ部５Ｃ、５Ｄ寄りの位置に、図７（ａ）（ｂ）に示すようにエプロンとして使用する場合に、上記左右のコーナ部５Ｃ、５Ｄを使用者Ｕの後面側に回して係止する係止構造４１を設けることも可能である。
因みに、図７（ａ）では、左右のコーナ部５Ｃ、５Ｄ寄りの位置に図中、仮想線で示す係止用テープ４３を通す係止スリット４５Ａ、４５Ｂを設けた係止構造４１Ａが図示されており、図７（ｂ）では、左右のコーナ部５Ｃ、５Ｄ寄りの位置に例えば両面に粘着剤が塗布された剥離紙付きの粘着片４７Ａ、４７Ｂを貼設した係止構造４１Ｂが図示されている。
【産業上の利用可能性】
【００２９】
本考案のエプロン機能付きふろしきは、弁当等を包む包装シートとしての機能と、飲食事等に前掛けとして使用するエプロンとしての機能を兼ね備えたエプロン機能付きふろしきの製造、使用分野等で利用でき、特に構造が簡単で部品点数が少なく安価であり、ふろしきからエプロンへの移行が容易で嵩張らないエプロン機能付きふろしきを提供したい場合に利用可能性を有する。
【符号の説明】
【００３０】
１  エプロン機能付きふろしき
３  ふろしき本体
５  コーナ部
７  窓部
９  ミシン目
１１  前掛け部
１３  首掛け部
１５  連接部
１７  スリット部
１９  端部
２１  端辺部
２３  接続部
２５  内方部位
２７  屈曲部
３１  表面
３３  裏面
３７  直線部
４１  係止構造
４３  係止用テープ
４５  係止スリット
４７  粘着片
Ｕ  使用者
Ａ  被包装物
Ｐ  形成ピッチ
Ｌ  全長
Ｓ  長さ
【図１】
0003173047.tif 000003
【図２】
0003173047.tif 000004
【図３】
0003173047.tif 000005
【図４】
0003173047.tif 000006
【図５】
0003173047.tif 000007
【図６】
0003173047.tif 000008
【図７】
0003173047.tif 000009